(57)【要約】【課題】第１に、訓練中に非常事態が発生した場合、安全システムにより訓練対象者の安全が確保され、もって安全性が向上すると共に、第２に、訓練装置自体の燃損，損傷事故も防止され、第３に、しかもこれが簡単容易に実現される、実火災訓練装置の安全システムを提案する。【解決手段】安全システム２５は、濃煙と熱気を体感しつつ消火防災訓練を実施する実火災訓練装置１において、緊急時の脱出用等の非常事態に備えるものである。実火災訓練装置１の本体部２は、訓練対象者の訓練ブースとなる大型ケーシング状をなし、濃煙と熱気を発生させる燃焼発煙コーナーが設けられている。安全システム２５は、この本体部２に付設され、壁面に設けられた開口部２６と、閉鎖体２７とを有している。閉鎖体２７は、常時は開口部２６を閉鎖すると共に、緊急時には開口部２６を開放可能となっている。【選択図】図１
2013235121.tif 000002
【特許請求の範囲】
【請求項１】
実際の火災現場に近い状況下で濃煙と熱気を体感しつつ、消火防災訓練を実施可能な実火災訓練装置において、緊急時の脱出用その他、訓練中に生じた非常事態に備える安全システムであって、
該実火災訓練装置は、少なくとも本体部を有しており、該本体部は、内部が訓練対象者の訓練ブースとなる大型ケーシング状をなすと共に、濃煙と熱気を発生させる燃焼発煙コーナーが設けられており、
該安全システムは、該実火災訓練装置の本体部に付設されており、該本体部の壁面に設けられた開口部とその閉鎖体とを少なくとも有してなり、該閉鎖体は、常時は該開口部を閉鎖すると共に、緊急時に該開口部を開放可能となっていること、を特徴とする実火災訓練装置の安全システム。
【請求項２】
請求項１において、該実火災訓練装置の本体部は一階を備えており、該一階は、直線長手状をなすと共に、長手方向奥側内部に可燃物を燃焼させる該燃焼発煙コーナーが配設され、長手方向反対側に出入扉および外気取入口が配設されており、
該一階では、該外気取入口からのエアーが、内部空間下部について低温域の可視ゾーンを形成しつつ該燃焼発煙コーナーへと流れると共に、該燃焼発煙コーナーで発生した濃煙を含有し熱気を帯びたエアーが、内部空間上部について高温域の濃煙ゾーンを形成しつつ流れ、もって、上下２層流が形成されること、を特徴とする実火災訓練装置の安全システム。
【請求項３】
請求項２において、該安全システムの開口部と閉鎖体が、該一階の側壁面に設けられており、
該開口部は、緊急時に開放されて訓練対象者の脱出用に使用され、該閉鎖体は、ドアよりなること、を特徴とする実火災訓練装置の安全システム。
【請求項４】
請求項３において、該安全システムの開口部と閉鎖体が、該一階の燃焼発煙コーナーの壁面にも設けられており、
該閉鎖体は、常時は、該開口部を閉鎖すると共に、緊急時には、該開口部を開放可能となっており、該開口部は、緊急時に開放されて、該燃焼発煙コーナーで発生した炎と濃煙と熱気を帯びたエアーを、外部へと逃がすために使用されること、を特徴とする実火災訓練装置の安全システム。
【請求項５】
請求項３において、該安全システムとして、更に、該一階の燃焼発煙コーナー付近に遮断体が設けられており、
該遮断体は、常時は、該一階の内部空間間を開放する退避位置にあると共に、緊急時には、該燃焼発煙コーナーと他の内部空間とを区画可能な遮断位置をとること、を特徴とする実火災訓練装置の安全システム。
【請求項６】
請求項２において、該実火災訓練装置の本体部は、上下多層階構造よりなり、各階間に濃煙の通気口と階段や梯子よりなる内部昇降手段とが、設けられており、
該安全システムの開口部と閉鎖体が、該一階より上の上階の側壁面にも設けられると共に、該上階の側壁面外側に、外ステージが添設されており、
該外ステージは、該開口部から脱出した訓練対象者の避難路として使用され、地上との間に昇降手段が付設されていること、を特徴とする実火災訓練装置の安全システム。
【請求項７】
請求項３，４又は６おいて、該安全システムの閉鎖体には開放力助成手段が付設されており、該開放力助成手段は、該閉鎖体の緊急開放に際し開放力を付加し、もって人力による開放力を軽減すべく機能すること、を特徴とする実火災訓練装置の安全システム。
【請求項８】
請求項３，４又は６において、該安全システムの開口部の周壁と該閉鎖体の周壁とは、内外の嵌め合い構造よりなり、緊急開放時以外の常時は、密に嵌め合わされていること、を特徴とする実火災訓練装置の安全システム。
【請求項９】
請求項２において、該実火災訓練装置は、該本体部と共に排煙処理装置を有しており、該排煙処理装置は、該本体部の上位に配設され、濃煙を該本体部から吸気して燃焼せしめ、もって、無煙無害化して大気放出すること、を特徴とする実火災訓練装置の安全システム。
【発明の詳細な説明】
【技術分野】
【０００１】
本発明は、実火災訓練装置の安全システムに関する。すなわち、実際の火災現場に近い状況下で消火防災訓練を実施する実火災訓練装置において、緊急脱出用その他、訓練中に生じた非常事態に備える安全システムに関する。
【背景技術】
【０００２】
《技術的背景》
消防関係者等の訓練対象者に、実際の火災現場に準じた臨場感を体感させ、もって消火技術向上や防災技術向上に資することを目的とした、体験型の実火災訓練装置が、各種開発，使用されている。
訓練対象者は、この実火災訓練装置により、火災時に近い状況下で濃煙や熱を体感しつつ、例えば、煙の挙動とポジショニングの関係を確認したり、火元からの距離と熱の関係を認識したり、その他の動作判断等を行うシミュレーション訓練が可能となる。
【０００３】
《従来技術》
本発明の出願人や発明者も、このような実火災訓練装置の研究，開発，実用化を進めており、その一環として、特願２００９−１８３１１０（特開２０１１−３４０２４）を特許出願し、特許第４９１７１３１号として特許化された。
この特許に係る実火災訓練装置は、下記の特許文献１にも示されたように本体部を備えており、この本体部は、内部が訓練対象者の訓練ブースとなる大型ケーシング状，直線長手状をなし、濃煙と熱気を発生させる燃焼発煙コーナーが設けられている。
そして、外気取入口からのエアーが、本体部の内部空間下部を低温域の可視ゾーンを形成しつつ燃焼発煙コーナーへと流れると共に、燃焼発煙コーナーで発生したエアーが、本体部の内部空間上部を高温域の濃煙ゾーンを形成しつつ流れ、もって、上下２層流が形成される。訓練対象者は、このような本体部内で濃煙と熱気を体感でき、対応したシミュレーション訓練を行えるようになっている。
なお、この実火災訓練装置は、このような本体部と共に排煙処理装置を備えており、排煙処理装置は本体部の上位に配設され、本体部から濃煙が排煙となって導入され、もって燃焼により無煙無害化して大気放出する。
【先行技術文献】
【特許文献】
【０００４】
【特許文献１】特許第４９１７１３１号公報
【発明の概要】
【発明が解決しようとする課題】
【０００５】
《この実火災訓練装置について》
この特許に係る実火災訓練装置は、この種従来例に係る他の実火災訓練装置に比べ、火災現場の臨場感を十分体感でき、より効果的な消火，防災シミュレーション訓練が実現でき、しかもコスト面に優れて実現される等、優れた作用効果を発揮する。
【０００６】
《課題について》
この実火災訓練装置では、このように常時は問題なく、本体部内で訓練が実施される。しかしながら、何らかの原因により訓練中に、燃焼発煙コーナーの炎が過剰に強くなって広がったり、濃煙が過剰に多くなって広がり濃煙ゾーンが予定より下がったり、熱気が過剰に高温となる、等々の事態発生も可能性としては予測される。
このような不測の事態がもしも発生した場合、本体部内で訓練中の訓練対象者は、事故防止のため訓練を即刻中止して、本体部外へと緊急脱出することが必要となる。すなわち、訓練中に発生した非常事態に伴い、危険回避のため、燃焼発煙コーナーとは反対側にある出入扉へと、まずは本体部内を移動し、出入扉を開放してから、外部へと緊急脱出することを要する。
又、このような過剰な炎や熱気等に伴い、上述した人的危険のみならず、実火災訓練装置自体の焼損，損傷事故発生も考えられる。
そこで、実火災訓練装置について、訓練中に生じた非常事態に備えるシステムを構築しておくことは、安全上等の観点から大きな意義が存する。例えばよりスムーズに、よりスピーディーに即刻緊急脱出可能なシステムを構築できれば、安全性がより向上するようになる。
【０００７】
《本発明について》
本発明の実火災訓練装置の安全システムは、このような実情に鑑み、上記従来技術の課題を解決すべく成されたものである。
そして本発明は、第１に、訓練時の安全性が向上し、第２に、焼損事故等も防止され、第３に、しかもこれらが簡単容易に実現される、実火災訓練装置の安全システムを提案することを、目的とする。
【課題を解決するための手段】
【０００８】
《各請求項について》
このような課題を解決する本発明の技術的手段は、特許請求の範囲に記載したように、次のとおりである。
まず、請求項１については、次のとおり。
請求項１の実火災訓練装置の安全システムは、実際の火災現場に近い状況下で濃煙と熱気を体感しつつ、消火防災訓練を実施可能な実火災訓練装置において、緊急時の脱出用その他、訓練中に生じた非常事態に備える安全システムに関する。
そして該実火災訓練装置は、少なくとも本体部を有している。該本体部は、内部が訓練対象者の訓練ブースとなる大型ケーシング状をなすと共に、濃煙と熱気を発生させる燃焼発煙コーナーが設けられている。
該安全システムは、該実火災訓練装置の本体部に付設されており、該本体部の壁面に設けられた開口部とその閉鎖体とを、少なくとも有してなる。該閉鎖体は、常時は該開口部を閉鎖すると共に、緊急時に該開口部を開放可能となっていること、を特徴とする。
請求項２については、次のとおり。
請求項２の実火災訓練装置の安全システムでは、請求項１において、該実火災訓練装置の本体部は一階を備えており、該一階は、直線長手状をなすと共に、長手方向奥側内部に可燃物を燃焼させる該燃焼発煙コーナーが配設され、長手方向反対側に出入扉および外気取入口が配設されている。
そして該一階では、該外気取入口からのエアーが、内部空間下部について低温域の可視ゾーンを形成しつつ該燃焼発煙コーナーへと流れると共に、該燃焼発煙コーナーで発生した濃煙を含有し熱気を帯びたエアーが、内部空間上部について高温域の濃煙ゾーンを形成しつつ流れる。もって、上下２層流が形成されること、を特徴とする。
【０００９】
請求項３については、次のとおり。
請求項３の実火災訓練装置の安全システムでは、請求項２において、該安全システムの開口部と閉鎖体が、該一階の側壁面に設けられている。そして該開口部は、緊急時に開放されて訓練対象者の脱出用に使用され、該閉鎖体は、ドアよりなること、を特徴とする。
請求項４については、次のとおり。
請求項４の実火災訓練装置の安全システムでは、請求項３において、該安全システムの開口部と閉鎖体が、該一階の燃焼発煙コーナーの壁面にも設けられている。
そして該閉鎖体は、常時は、該開口部を閉鎖すると共に、緊急時には、該開口部を開放可能となっており、該開口部は、緊急時に開放されて、該燃焼発煙コーナーで発生した炎と濃煙と熱気を帯びたエアーを、外部へと逃がすために使用されること、を特徴とする。
請求項５については、次のとおり。
請求項５の実火災訓練装置の安全システムでは、請求項３において、該安全システムとして、更に、該一階の燃焼発煙コーナー付近に遮断体が設けられている。
そして該遮断体は、常時は、該一階の内部空間間を開放する退避位置にあると共に、緊急時には、該燃焼発煙コーナーと他の内部空間とを区画可能な遮断位置をとること、を特徴とする。
【００１０】
請求項６については、次のとおり。
請求項６の実火災訓練装置の安全システムでは、請求項２において、該実火災訓練装置の本体部は、上下多層階構造よりなり、各階間に濃煙の通気口と、階段や梯子よりなる内部昇降手段とが、設けられている。
そして、該安全システムの開口部と閉鎖体が、該一階より上の上階の側壁面にも設けられると共に、該上階の側壁面外側に、外ステージが添設されている。該外ステージは、該開口部から脱出した訓練対象者の避難路として使用され、地上との間に昇降手段が付設されていること、を特徴とする。
請求項７については、次のとおり。
請求項７の実火災訓練装置の安全システムでは、請求項３，４又は６おいて、該安全システムの閉鎖体には、開放力助成手段が付設されている。そして該開放力助成手段は、該閉鎖体の緊急開放に際し開放力を付加し、もって人力による開放力を軽減すべく機能すること、を特徴とする。
請求項８については、次のとおり。
請求項８の実火災訓練装置の安全システムでは、請求項３，４又は６において、該安全システムの開口部の周壁と該閉鎖体の周壁とは、内外の嵌め合い構造よりなり、緊急開放時以外の常時は、密に嵌め合わされていること、を特徴とする。
請求項９については、次のとおり。
請求項９の実火災訓練装置の安全システムでは、請求項２において、該実火災訓練装置は、該本体部と共に排煙処理装置を有している。そして該排煙処理装置は、該本体部の上位に配設され、濃煙を該本体部から吸気して燃焼せしめ、もって、無煙無害化して大気放出すること、を特徴とする。
【００１１】
《作用等について》
本発明は、このような手段よりなるので、次のようになる。
（１）実火災訓練装置では、訓練実施に際し、まず燃焼発煙コーナーの可燃物が着火される。
（２）これと共に本体部の一階では、上部高温域の濃煙ゾーンと下部低温域の可視ゾーンとが形成され、上下２層流が形成される。上下多層階構造の場合は、二階以上の上階で、少なくとも濃煙ゾーンが形成される。
（３）濃煙ゾーンの濃煙や熱気は事後、排煙処理装置に導かれ、完全燃焼されて大気放出される。
（４）そして、一階や二階等の本体部内では、訓練対象者の消火防災訓練が行われる。
（５）このような訓練中において、何らかの原因により炎，濃煙，熱気等が過剰となり、もって非常事態が発生した場合は、次のとおり。
（６）まず訓練対象者は、本体部の側壁面に設けられた安全システムの開口部を、開放操作することにより、外部に緊急脱出することができる。
（７）これと共に、燃焼発煙コーナーの壁面に設けられた安全システムの開口部を、開放操作することにより、炎，濃煙，熱気等を外部に逃がすこともできる。
（８）更に、安全システムの遮断体にて、燃焼発煙コーナーを遮断操作することにより、炎，濃煙，熱気等を遮断することもできる。
（９）これらにより、本体部が炎，濃煙，熱気等に晒されて、焼損，損傷することも防止される。
（１０）この安全システムは、構成が簡単であると共に、操作も容易である。
（１１）そこで、本発明の実火災訓練装置の安全システムは、次の効果を発揮する。
【発明の効果】
【００１２】
《第１の効果》
第１に、訓練時の安全性が向上する。この実火災訓練装置では、訓練中にもしも非常事態が発生した場合、安全システムにより訓練対象者の安全が確保される。
すなわち、訓練中の訓練対象者は、まず、側壁面に設けられた開口部から、閉鎖体を開放操作することにより、本体部外へ緊急脱出することができる。
これと共に、燃焼発煙コーナーの壁面に設けられた開口部の閉鎖体を、開放操作することにより、炎，濃煙，熱気等を外部に逃がしたり、遮断体を遮断位置とする操作により、燃焼発煙コーナーからの炎，濃煙，熱気等を、遮断することもできる。
このように、各安全システムとその組み合わせにより、一刻を争う緊急時において、訓練対象者は直ちに緊急脱出可能となり、事故の危険が回避され安全性が向上する。
【００１３】
《第２の効果》
第２に、焼損事故等も防止される。この実火災訓練装置では、訓練中にもしも非常事態が発生した場合、訓練装置自体の焼損事故，損傷事故も防止される。
すなわち、燃焼発煙コーナーの壁面の開口部を開放したり、遮断体を遮断位置とする安全システムにより、実火災訓練装置の本体部内が炎，濃煙，熱気等に晒され、もって焼損したり損傷してしまう事故も、未然に防止される。
【００１４】
《第３の効果》
第３に、しかもこれらは、簡単容易に実現される。この実火災訓練装置の安全システムは、本体部の壁面に閉鎖体付の開口部を設けたり、燃焼発煙コーナー付近に遮断体を設けた構成よりなり、構成が簡単であり、製造コスト面等にも優れている。
そして、緊急時の操作も、閉鎖体を開放することにより行われ、容易であり、緊急時における操作に適している。又、閉鎖体に開放力助成手段を付設しておくことにより、一段と開放操作が容易化され、この面からも緊急時における操作に適している。
このように、この種従来技術に存した課題がすべて解決される等、本発明の発揮する効果は、顕著にして大なるものがある。
【図面の簡単な説明】
【００１５】
【図１】本発明に係る実火災訓練装置の安全システムについて、発明を実施するための形態の説明に供し、一階の側壁面に設けられた開口部と閉鎖体を示し、概略斜視図である。そして、（１）図はその第１例を、（２）図は第２例を、（３）図は第３例を、（４）図は第４例を示す。
【図２】同発明を実施するための形態の説明に供し、一階の燃焼発煙コーナーの壁面に設けられた開口部と閉鎖体を示し、概略斜視図である。そして、（１）図はその第１例を、（２）図は第２例を示す。
【図３】同発明を実施するための形態の説明に供し、一階の燃焼発煙コーナー付近に設けられた遮断体を示し、概略斜視図である。そして、（１）図はその第１例を、（２）図は第２例を、（３）図は第３例を、（４）図は、退避位置の第４例を、（５）図は、遮断位置の第４例を示す。
【図４】同発明を実施するための形態の説明に供し、概略斜視図である。そして（１）図は、二階の側壁面に設けられた開口部と閉鎖体および外ステージを示す。（２）図は、開口部と閉鎖体との内外の嵌め合い構造を示す。（３）図は、一階の燃焼発煙コーナーの天井壁面上の消火液タンクを示す。
【図５】実火災訓練装置の説明に供し、本体部が平屋建ての例について、本体部内を断面して示した正面説明図である。
【図６】実火災訓練装置の説明に供し、本体部が平屋建ての例について、本体部内を透視した斜視説明図である。
【図７】実火災訓練装置の説明に供し、本体部が二階建ての例について、本体部内を透視した斜視説明図である。
【発明を実施するための形態】
【００１６】
以下、本発明を実施するための形態について、詳細に説明する。
《実火災訓練装置１の概要》
本発明は、実火災訓練装置１の安全システムに関する。そこでまず、前提となる実火災訓練装置１について、図５〜図７を参照して説明する。
実火災訓練装置１は、実際の火災現場に近い状況下で濃煙Ｓと熱気Ｈを体感しつつ、消火，防災のシミュレーション訓練を実施可能となっており、図示例では、本体部２と排煙処理装置３を備えている。
そして本体部２は、内部が訓練対象者Ｔの訓練ブースとなる大型ケーシング状をなすと共に、図５，図６に示した例では、平屋建構造よりなり一階４のみからなっている。これに対し図７に示した例は、上下多層階構造よりなり各階を備えており、代表的には図示したように、二階建構造よりなり、最下階の一階４と最上階の二階５とを備えている。
本体部２の一階４更には二階５等の各階は、それぞれ、訓練対象者Ｔの訓練ブースとなる大型ケーシング状をなす。形状的には、直線長手状の箱体よりなり、長目の直方体よりなる例が代表的であり、床面，天井面，両側面，前後面（正面と奥面）等の壁面を、備えている。
そして密閉された内部で、例えば数人から十数人の訓練対象者Ｔ、多い時には数十人の訓練対象者Ｔを対象として、訓練が実施される。
本体部２の一階４や二階５等は、例えば金属製のコンテナよりなるが、コンクリート基礎上に鉄筋コンクリート製の柱や梁、そして金属製の面板が組み付けられた構造も考えられる。コンテナとしては、例えば８×４０フィートコンテナが使用され、幅２．４ｍ，高さ２．６ｍ，長さ１２．２ｍ程度よりなる。
実火災訓練装置１の概要については、以上のとおり。
【００１７】
《本体部２の一階４について》
次に、このような実火災訓練装置１の本体部２の一階４について、図５〜図７を参照して更に詳述する。
一階４には、燃焼発煙コーナー６，出入扉７，外気取入口８等、が設けられている。すなわち、一階４の長手方向奥側内には、可燃物Ｂを燃焼させて濃煙Ｓと熱気Ｈを発生させる燃焼発煙コーナー６が、配設されている。長手方向反対側つまり正面には、訓練対象者Ｔの進入口や退出口となる出入扉７が配設されており、その下部に外気取入口８が設けられている。
更に、図５，図６の平屋建構造の例では、一階４の長手方向反対側，正面側の天井面に、濃煙Ｓや熱気Ｈの排煙処理装置３への通気口９が配設されている。図７に示した二階建構造等の多層階構造の例では、一階４の長手方向反対側，正面側の天井面に、濃煙Ｓや熱気Ｈの二階５への通気口９が配設され、更に、階段１０や梯子等の二階５への昇降手段も設けられている。
【００１８】
燃焼発煙コーナー６は、下部に薪受台１１を備えており、薪受台１１上で可燃物Ｂを炎Ｆを伴いつつ燃焼させて、濃煙Ｓと熱気Ｈを発生させる。可燃物Ｂとしては、実際の住居火災を模して木質パレット，廃材，合板，間伐材、等々が使用される。
さて、本体部２の一階４では、上下２層流が必須的に形成される。一階４の内部空間下部では、外気取入口８からのエアーＡが、可視ゾーンＡＺを形成して燃焼発煙コーナー６へと流れる。内部空間上部では、燃焼発煙コーナー６からの濃煙Ｓと熱気Ｈを帯びたエアーＡ’が、濃煙ゾーンＳＺを形成して通気口９へと流れる。
すなわち、下部の外気取入口８から吸気されたフレッシュなエアーＡが、温度が低いことも加わり、→そのまま内部空間下部を、床面に沿って正面側から奥面側の燃焼発煙コーナー６へ向けて流れ、→もって、視界が確保された低温域の可視ゾーンＡＺを形成する。
→燃焼発煙コーナー６では、このように可視ゾーンＡＺを流れてきたエアーＡにて、可燃物Ｂが炎Ｆを伴って燃焼され、濃煙Ｓと熱気Ｈが発生する。→そして、濃煙Ｓを含有し熱気Ｈを帯びたエアーＡ’は、→温度が高いので、内部空間上部を、天井面に沿って奥側から正面側の通気口９へ向けて流れ、→もって高温域の濃煙ゾーンＳＺを形成する。
本体部２の一階４については、以上のとおり。
【００１９】
《本体部２の二階５等について》
次に、図７を参照して、二階建構造等の上下多層階構造に関し、その本体部２の二階５等の上階について、説明する。
まず、二階５等の内部空間については、濃煙ゾーンＳＺが形成される。図示例では、一階４との間の通気口９を介し、→一階４の濃煙ゾーンＳＺから、濃煙Ｓを含有し熱気Ｈを帯びたエアーＡ’が導入され、→長手方向反対側の天井面に形成された通気口９’に向けて流れ、→もって、二階５の内部空間について、濃煙ゾーンＳＺの流れが形成される。
なお通気口９’は、二階建の図示例では排煙処理装置３へと連通されており、エアーＡ’を導出するが、三階建以上の場合は、上階へのエアーＡ’の導出口となる。又、外気取入口を通気口９’下付近の奥面側に設けた場合は、二階５の内部空間についても２層流が形成される。
図示例によらず三階以上の上階が存する場合も、濃煙ゾーンＳＺのみの流れか、又は、濃煙ゾーンＳＺと可視ゾーンＡＺとの上下２層流が形成される。
【００２０】
ところで、二階５等の上階の内部空間については、例えばパーティション１３が設けられ、区画された各所にダミー人形や什器備品家具等が置かれており、訓練シチュエーションを作り出している。
又図示例では、二階５の出入扉１２の外側に、メンテナンススぺース１４が設けられており、地上との間に階段１５や梯子等の昇降手段が付設されている。図中１６は柱であり、１７は梁である。図示例によらず三階以上の上階が存する場合も、これらに準じる。
更に図示例では、一階４や二階５の出入扉７，１２の外側に、導出手段１８付きの前室１９が設けられており、出入扉７，１２から漏洩した濃煙Ｓを一旦収容する。導出手段１８は、収容された濃煙Ｓを吸気して、一階４から二階５や、二階５から排煙処理装置３へと、導出する。
本体部２の二階５等については、以上のとおり。
【００２１】
《排煙処理装置３について》
次に、図５，図７を参照して、実火災訓練装置１の排煙処理装置３について説明する。
排煙処理装置３は、本体部２の上位に配設されており、濃煙Ｓを本体部２から吸気して燃焼せしめ、無煙無害化して煙突２０から大気放出する。
そこで排煙処理装置３は、排煙導入手段２１とバーナー２２と煙燃焼エリア２３を備えており、排煙導入手段２１は、本体部２内の濃煙Ｓを吸気，導入させ、バーナー２２は、導入された濃煙Ｓを昇温させ、煙燃焼エリア２３では、濃煙Ｓが燃焼される。
すなわち、排煙処理装置３は直線円筒状をなし、基端部が本体部２の通気口９，９’に接続されており、本体部２の濃煙ゾーンＳＺから濃煙Ｓつまり排煙を含むエアーＡ’が、導入され、もって排煙処理装置３内を煙道として流れる。バーナー２２は基端部に配設されており、補助燃料と空気を噴射して燃焼させ、もって導入されたエアーＡ’を８００℃以上に昇温させる。
煙燃焼エリア２３は、流れるエアーＡ’中の濃煙Ｓの煤じんを、８００℃以上で完全燃焼せしめる。もって、完全燃焼に必要な滞留時間を確保するに足る長さ寸法に、エアーＡ’の流速を勘案しつつ設定されている。煙燃焼エリア２３の煙道には、エジェクターやブロワ等のエアー供給手段２４が外設されており、濃煙Ｓ燃焼用の空気を導入する。
そして煙燃焼エリア２３には、エジェクターやブロワ等の排煙導入手段２１が、外設されている。排煙導入手段２１は、直接的機能としては、本体部２の通気口９，９’からエアーＡ’を吸引するが、これに止まらず、外気取入口８から本体部２内へ、外気エアーＡを吸気させるべく機能する。
排煙処理装置３は、このようになっている。
【００２２】
《安全システム２５の概要について》
以下、本発明に係る実火災訓練装置１の安全システム２５について、図１〜図４を参照して説明する。
この安全システム２５は、上述したように、実際の火災現場に近い状況下で濃煙Ｓと熱気Ｈを体感しつつ消火防災訓練を実施可能な実火災訓練装置１において、緊急時の脱出用、その他の訓練中に生じた非常事態に備えるものである。
そして安全システム２５は、実火災訓練装置１の本体部２に、付設されている。そして、本体部２の壁面に設けられた開口部２６とその閉鎖体２７とを、少なくとも有しており、閉鎖体２７は、常時は開口部２６を閉鎖すると共に、緊急時に開口部２６を開放可能となっている。
更に安全システム２５は、このような開口部２６や閉鎖体２７と共に、燃焼発煙コーナー６の遮断体２８も採用されている。
安全システム２５の概要については、以上のとおり。以下、このような安全システム２５について、詳述する。
【００２３】
《一階４の側壁面２９の開口部２６と閉鎖体２７について》
まず図１を参照して、安全システム２５として、実火災訓練装置１の本体部２の一階４の側壁面２９に設けられる、開口部２６と閉鎖体２７について説明する。
この安全システム２５の開口部２６は、緊急時に開放されて、訓練対象者Ｔの脱出用に使用され、訓練対象者Ｔを濃煙Ｓ，熱気Ｈ，更には炎Ｆ等から避難させる。
閉鎖体２７は、開口部２６に見合った大きさのドアよりなり、常時は、開口部２６を閉鎖する閉鎖位置Ｃをとると共に、緊急時は、開口部２６を開放する開放位置Ｄをとる。
【００２４】
このような開口部２６と閉鎖体２７について、更に詳述する。まず、図１の（１）図は、閉鎖体２７が、横開き式の例を示し、（２）図は、閉鎖体２７が、縦の下開き，跳ね降ろし式の例を示す。（３）図は、閉鎖体２７が、縦の上開き，跳ね上げ式の例を示し、（４）図は、閉鎖体２７が、左右引戸式の例を示す。このように、開口部２６と閉鎖体２７との組合わせについては、各種のタイプが可能である。
図１の（１）図，（２）図，（３）図中、３１はヒンジであり、閉鎖体２７を開口部２６の端縁に回動可能に結合する。（４）図中、３２はローラーであり、転動により閉鎖体２７を左右に移動可能とする。
このような閉鎖体２７付の開口部２６の位置については、次の通り。この開口部２６は、直線長手状をなす一階４について、中央部付近の側壁面２９に形成されるが、奥側つまり燃焼発煙コーナー６寄りの側壁面２９に形成することも考えられる。正面寄りについては、出入扉７の存在に鑑み形成ニーズに乏しい。
【００２５】
開口部２６の寸法等については、次のとおり。開口部２６の縦寸法や横寸法は、訓練対象者Ｔ１名が脱出可能な設定よりなる。開口部２６の下辺つまり下端縁の高さレベルは、一階４の床壁面３０の高さレベルにほぼ揃えられ、もって緊急脱出の便に供する。
これに対し、開口部２６の上辺つまり上端縁の高さレベルは、一階４の内部空間に形成される濃煙ゾーンＳＺと可視ゾーンＡＺとの、上下２層流の境目付近とするのがよい。なお、濃煙ゾーンＳＺと可視ゾーンＡＺとは、内部空間についてほぼ上下半々ずつ形成されることが多いが、一方がより厚く他方がより薄く形成されることも多々ある。
【００２６】
境目付近とする理由については、次のとおり。境目付近とすることにより、まず、緊急脱出の便に供することができる。
すなわち、低温域で視界が確保された可視ゾーンＡＺに、開口部２６の上下高さレベルを合わせておくことにより、濃煙Ｓと熱気Ｈを帯びた濃煙ゾーンＳＺからの脱出が容易化する。訓練対象者Ｔは姿勢を低くし、濃煙ゾーンＳＺに巻き込まれることなく、可視ゾーンＡＺから外へと脱出することができる。
これと共に、このように開口部２６の上下高さレベル、特に上位高さレベルを規制しておくことにより、開放時に開口部２６から大量の空気が内部空間に流入してしまうことが、抑制される。
すなわち、上位高さレベルが高過ぎ開口部２６が広過ぎると、開口部２６の開放時に大量の空気が流入してしまい、燃焼発煙コーナー６の炎Ｆの勢が急激に強くなったり、フラッシュオーバー現象発生の虞があるが、これらは抑制される。
そこで例えば、一階４の内部空間の高さを２．５ｍとすると、開口部２６は、２層流の境目の高さレベルつまり可視ゾーンＡＺの高さレベルに合わせ、例えば高さ１．３ｍ程度にて形成される。
一階４の側壁面２９の開口部２６と閉鎖体２７については、以上のとおり。
【００２７】
《二階５等の側壁面２９の開口部２６と閉鎖体２７について》
次に、図４の（１）図を参照して、安全システム２５として、実火災訓練装置１の本体部２の二階５等の上階に関し、その側壁面２９に設けられる開口部２６と閉鎖体２７について、説明する。
この安全システム２５の開口部２６と閉鎖体２７は、一階４より上の上階の側壁面２９にも設けられる。図示例では、二階５の側壁面２９に設けられている。この二階５等の開口部２６と閉鎖体２７の構成や機能等については、一階４のものについて前述した所に準じるので、同符号を付し、その説明は省略する。
そして、このように閉鎖体２７付の開口部２６が設けられた、二階５等の上階の側壁面２９外側には、外ステージ３３が添設されている。この外ステージ３３は、開口部２６を介し脱出した訓練対象者Ｔの避難路として使用され、地上との間に階段１５等の昇降手段が付設されている。
図７の図示例では、前述したように、二階５の出入扉１２の外側に、メンテナンススペース１４が設けられている。そこで外ステージ３３は、同じ高さレベルのメンテナンススペース１４と連設されると共に、その階段１５を昇降手段として利用している。その他、外ステージ３３の構成や機能等は、メンテナンススペース１４について前述した所に準じる。
二階５等の側壁面２９の開口部２６と閉鎖体２７については、以上のとおり。
【００２８】
《燃焼発煙コーナー６の壁面の開口部２６と閉鎖体２７について》
次に、図２を参照して、安全システム２５として、実火災訓練装置１の本体部２の一階４に関し、燃焼発煙コーナー６の壁面に設けられる開口部２６と閉鎖体２７について、説明する。
この安全システム２５の開口部２６と閉鎖体２７は、一階４の燃焼発煙コーナー６の天井壁面３４や、奥壁面３５等に設けられる。
閉鎖体２７は、常時は閉鎖位置Ｃをとり、開口部２６を閉鎖すると共に、緊急時には開放位置Ｄをとり、開口部２６を開放する。そして開口部２６は、緊急時に開放されて、燃焼発煙コーナー６で発生した炎Ｆと濃煙Ｓと熱気Ｈを帯びたエアーＡ’を、外部へと逃がすために使用される。
【００２９】
このような開口部２６と閉鎖体２７について、更に詳述する。図２の（１）図は、燃焼発煙コーナー６の真上の天井壁面３４に設けられた例を示し、（２）図は、燃焼発煙コーナー６の背後の奥壁面３５上部に設けられた例を示す。なお、このような図示例によらず、側方の側壁面２９に設ける例も可能である。
そして閉鎖体２７は、上開き，跳ね上げ式よりなり、ヒンジ３１にて開口部２６の端縁に対し回動可能に結合されている。開口部２６は、閉鎖体２７が開放位置Ｄをとることにより開放されて、炎Ｆ，濃煙Ｓ，熱気Ｈ等を外部放出すべく機能する。
なお、図２の（２）図に示した開口部２６と閉鎖体２７の組み合わせは、一階４の燃焼発煙コーナー６の奥壁面３５ではなく、二階５の奥壁面３５や側壁面２９に設けることも、考えられる。この場合は、濃煙Ｓと熱気Ｈを外部放出すべく機能することになる。
燃焼発煙コーナー６の壁面の開口部２６と閉鎖体２７については、以上のとおり。
【００３０】
《開放力助成手段３６について》
次に、図１の（３）図を参照して、安全システム２５の閉鎖体２７の開放力助成手段３６について、説明する。
開口部２６に付設される閉鎖体２７には、開放力助成手段３６が付設されており、開放力助成手段３６は、閉鎖体２７の緊急開放に際し開放力を付加し、もって人力による開放力を軽減すべく機能する。
図示例では、図１の（３）図の例の閉鎖体２７について、開放力助成手段３６が設けられているが、その他の各例についても、開放力助成手段３６が設けられる（図示は省略）。すなわち、図１の（１）図，（２）図，（４）図，図２の（１）図，（２）図等に示した閉鎖体２７についても、設けられる。勿論、開放力助成手段３６を設けないことも、可能である。
【００３１】
このような開放力助成手段３６について、更に詳述する。図１の（３）図に示した開放力助成手段３６は、ワイヤ３７を備えており、このワイヤ３７は、一端が、閉鎖体２７の自由端部である先端部に止着され、途中が、本体部２の天井壁面３４や他方の側壁面２９に取付けられた滑車３８を経由し、他端の自由端に、ウエイトＷが取付けられている。
もって閉鎖体２７は、開放力助成手段３６のワイヤ３７のウエイトＷにて、開放位置Ｄつまり開放方向に向けて引張力が作用しているが、常時は止め具（図示せず）にて、閉鎖位置Ｃに止め置きロックされている。止め具は、例えば止めピンよりなり、常時は、閉鎖体２７先端部と開口部２６端縁間に掛け渡されている。
これに対し、止め具の掛け渡しを解いて開放操作すると、開放力助成手段３６のウエイトＷにて、ワイヤ３７を介し閉鎖体２７について、開放位置Ｄつまり開放方向に向けて引張力が作用する。もって、このような引張力が開放力として加わるので、人力にて閉鎖体２７を開放位置Ｄへと開放せんとする開放力が、その分、軽減される。
なお、開放力助成手段３６は、図示例のワイヤ３７，滑車３８，ウエイトＷの組み合わせ以外にも、各種の公知例の採用が可能である。例えばスプリングを、閉鎖体２７と本体部２の天井壁面３４や他方の側壁面２９間に、引張り介装すると共に、常時は、止め具にてその引張力が働かないようにしておくことが考えられる。
開放力助成手段３６については、以上のとおり。
【００３２】
《開口部２６と閉鎖体２７との嵌め合い構造について》
次に、図４の（２）図を参照して、安全システム２５の開口部２６と閉鎖体２７との嵌め合い構造について、説明する。
開口部２６の周壁３９と閉鎖体２７の周壁４０とは、内外の嵌め合い構造よりなり、開放時以外の常時は、密に嵌め合わされている。
図１や図２に示した各例の開口部２６と閉鎖体２７では、このような嵌め合い構造が採用され、開口部２６の周壁３９が、高さを伴って立設されると共に、閉鎖体２７の周壁４０も、対応する高さを伴って立設されている。
そして、閉鎖体２７が常時の閉鎖位置Ｃをとると、両周壁４０が内外で密嵌合される設定よりなる。もって、本体部２の一階４や二階５等の内部空間の密閉が、維持されるようになっている。４１は、密閉確保用のパッキンである。
開口部２６と閉鎖体２７との嵌め合い構造については、以上のとおり。
【００３３】
《遮断体２８について》
次に、図３を参照して、安全システム２５の遮断体２８について、説明する。
一階４の燃焼発煙コーナー６付近には、遮断体２８が設けられている。そして遮断体２８は、常時は、一階４の内部空間間を開放する退避位置Ｊにあると共に、緊急時には、燃焼発煙コーナー６と他の内部空間とを区画可能な遮断位置Ｋをとる。
そして遮断位置Ｋでは、２層流を遮断する。すなわち、燃焼発煙コーナー６へのエアーＡの流れを遮断すると共に、燃焼発煙コーナー６からの濃煙Ｓ，熱気Ｈ，更には炎Ｆを帯びたエアーＡ’の流れを遮断する。
【００３４】
このような遮断体２８について、更に詳述する。まず、図３の（１）図に示した例では、一階４の燃焼発煙コーナー６直前の天井壁面３４について、左右に横長穴４２が穿設されている。そして、この横長穴４２に遮断体２８が、上下に昇降動可能に密に組み付けられている。
もって遮断体２８は、天井壁面３４上に位置決めされる常時の退避位置Ｊと、天井壁面３４から床壁面３０にかけて位置決めされる緊急時の遮断位置Ｋとに、横長穴４２を出入口として昇降動可能となっている。
次に、図３の（２）図に示した例では、燃焼発煙コーナー６直前の一方の側壁面２９について、上下に縦長穴４３が穿設されている。そして、この縦長穴４３に遮断体２８が、左右に横移動可能に密に組み付けられている。
もって遮断体２８が、一方の側壁面２９外に位置決めされる常時の退避位置Ｊと、一方の側壁面２９から他方の側壁面２９にかけて位置決めされる緊急時の遮断位置Ｋとに、縦長穴４３を出入口として横移動可能となっている。
【００３５】
次に、図３の（３）図に示した例では、燃焼発煙コーナー６直前の天井壁面３４下に、耐熱防燃シート製の遮断体２８が、取付けられている。
そして、このシート製の遮断体２８が、天井壁面３４下にコンパクトに巻回位置決めされた常時の退避位置Ｊと、天井壁面３４から底壁面３０にかけて垂下され広げられた緊急時の遮断位置Ｋとに、変位可能となっている。
又、図３の（４）図，（５）図に示した例では、燃焼発煙コーナー６直前の天井壁面３４下に、耐熱性に富んだ遮断体２８が、横軸のヒンジ３１にて取付けられている。この遮断体２８は、３枚等の複数枚の金属平板製よりなり、相互間が横軸のヒンジ３１にて結合されている。
そして、この板製の遮断体２８は、（４）図に示したように、天井壁面３４下にコンパクトに折り畳まれ折曲位置決めされた常時の退避位置Ｊと、（５）図に示したように、天井壁面３４から底壁面３０にかけて垂下され広げられた緊急時の遮断位置Ｋとに、変位可能となっている。
遮断体２８については、以上のとおり。
【００３６】
《その他》
この実火災訓練装置１の安全システム２５については、更に、次の各手段等も適宜採用される。
まず第１に、図４の（３）図に示した例では、本体部２の一階４の燃焼発煙コーナー６の天井壁面３４上に、消火液タンク４４が設けられる。そして、この消火液タンク４４内に、水や消火剤等の消火液を貯留しておき、緊急時に、燃焼発煙コーナー６に向け流下可能となっている。
第２に、実火災訓練装置１による訓練は、一階４や二階５等の本体部２内の訓練対象者Ｔと共に、本体部２外に立会監視者を置いて実施される。
そして、緊急時における前述した各安全システム２５の操作、例えば閉鎖体２７の開放操作や遮断体２８の遮断操作等は、内部の訓練対象者Ｔが単独で行うことが可能であるが、外部の立会監視者が単独で行うことも可能となっている。勿論、両者が共同して行うことも可能である。
第３に、緊急時にあっては、外部の立会監視者の操作も、一刻を争うので特に重要となる。しかしながら訓練実施中、本体部２は密閉状態となっており、本体部２内で発生した緊急情報は、本体部２外へは伝達されにくいことが考えられる。
そこで、本体部２内の訓練対象者Ｔから、本体部２外の立会監視者への緊急情報伝達手段を、付設しておくと良い。例えば、内外間に伝送管を設けたり、本体部２内に釣鐘を設ける、等々の手段の採用が考えられる。
安全システム２５については、以上のとおり。
【００３７】
《作用等》
本発明の実火災訓練装置１の安全システム２５は、以上説明したように構成されている。そこで、以下のようになる。
（１）実火災訓練装置１では、訓練実施に際し、まず本体部２の一階４の燃焼発煙コーナー６において、可燃物Ｂが着火され、もって大量の濃煙Ｓと熱気Ｈが、発生する（図６を参照）。
【００３８】
（２）これと共に、図示例では排煙処理装置３の排煙導入手段２１が駆動され、外気取入口８から吸気されたエアーＡが、一階４の内部空間下部を、可視ゾーンＡＺを形成して燃焼発煙コーナー６へと流れる。
そして、燃焼発煙コーナー６で発生した、大量の濃煙Ｓを含有し熱気Ｈを帯びたエアーＡ’が、一階４の内部空間上部を、濃煙ゾーンＳＺを形成して流れる（図６等を参照）。
このように、一階４では上下２層流が形成される。そして、二階建構造等の上下多層階構造の場合は、濃煙ゾーンＳＺの濃煙Ｓを含有し熱気Ｈを帯びたエアーＡ’が、通気口９から二階５等の上階へと導入されて、少なくとも濃煙ゾーンＳＺの流れを形成する（図７を参照）。
【００３９】
（３）それから、濃煙ゾーンＳＺの濃煙Ｓを含有し熱気Ｈを帯びたエアーＡ’は、通気口９，９’を介し排煙処理装置３に導入され、エアーＡ’中の濃煙Ｓの煤じんを完全燃焼してから、大気放出される（図５，図７を参照）。
【００４０】
（４）そして消火防災訓練が実施される。すなわち、一階４では、訓練対象者Ｔについて上下２層流下にて、例えば、濃煙Ｓと熱気Ｈに耐える訓練、姿勢を低くしての視界確保訓練、位置取り訓練、火元距離感の把握訓練、火元消火訓練、等の訓練が行われる（図６を参照）。
上下多層階構造の場合は、二階５等の上階では、例えば濃煙ゾーンＳＺ下において、移動路確保訓練，避難誘導訓練，脱出訓練，人命捜索訓練，人命救助訓練，搬出訓練、等の訓練が行われる（図７を参照）。
【００４１】
（５）さて、このような訓練中において、何らかの原因により不測の事態が発生することも、可能性としては予測される。
例えば、燃焼発煙コーナー６の炎Ｆが過剰に強くなって広がったり、濃煙Ｓが過剰に多くなって広がり、一階４の濃煙ゾーンＳＺが予定より下がったり、熱気Ｈが過剰に高温となる、等々の非常事態発生が予測される（図６等を参照）。
その原因の一例としては、排煙処理装置３が機能せず、濃煙Ｓが排煙として排出されずに、一階４や二階５等の本体部２内に滞留してしまうことが挙げられる。
【００４２】
（６）このような非常事態がもしも発生した場合、一階４や二階５等の本体部２内で訓練中だった訓練対象者Ｔは、まず、本体部２の側壁面２９に設けられた安全システム２５の開口部２６から、本体部２外へと即脱出することができる（図１を参照）。
開口部２６の閉鎖体２７を、閉鎖位置Ｃから開放位置Ｄへと、開放力助成手段３６も利用して開放操作することにより、容易に緊急脱出することができる。一刻を争う緊急時において、各訓練対象者Ｔは、通常使用される出入扉７，１２へ移動するよりも段違いにスピーディーに、直ちに外へと脱出可能となる。訓練対象者Ｔが多人数の場合は、特に効率的脱出が実現される。
【００４３】
（７）これと共に、燃焼発煙コーナー６の壁面に設けられた安全システム２５の開口部２６を、開放することにより、炎Ｆ，濃煙Ｓ，熱気Ｈ等を、外部に逃がすことも可能となっている（図２を参照）。
開口部２６の閉鎖体２７を、閉鎖位置Ｃから開放位置Ｄへと、開放力助成手段３６も利用して開放操作することにより、燃焼発煙コーナー６で発生する炎Ｆ，濃煙Ｓ，熱気Ｈ等を、本体部２内の訓練対象者Ｔ側へ向かわせないようにすることができる。
このような閉鎖体２７の開放操作は、主に本体部２外部の立会監視者によって、行われる。又、このように炎Ｆ等を外部に逃がす安全システム２５は、前述した訓練対象者Ｔ全員を緊急脱出させる安全システム２５のための時間稼ぎとして、特に効果的である。
【００４４】
（８）更にこれに加え、安全システム２５の遮断体２８にて、燃焼発煙コーナー６を遮断することにより、燃焼発煙コーナー６からの炎Ｆ，濃煙Ｓ，熱気Ｈ等を、訓練対象者Ｔ側へ向かわせずに遮断すると共に、燃焼発煙コーナー６へのエアーＡの供給を遮断して、
炎Ｆ，濃煙Ｓ，熱気Ｈ等の発生を停止させることもできる（図３を参照）。
このように遮断体２８を退避位置Ｊから遮断位置Ｋに変位させる操作も、主に外部の立会監視者によって行われる。又、この遮断体２８にて遮断する安全システム２５も、前述した訓練対象者Ｔ全員を緊急脱出させる安全システム２５のための時間稼ぎとして、特に効果的である。
【００４５】
（９）又、上述したように、燃焼発煙コーナー６の壁面の開口部２６を開放したり、遮断体２８にて遮断することにより、一階４や二階５等の本体部２内への炎Ｆ，濃煙Ｓ，熱気Ｈ等の流入，広がりが回避されると共に、燃焼発煙コーナー６へのエアーＡの供給、そして炎Ｆ，濃煙Ｓ，熱気Ｈ等の発生も阻止される。
もって、過剰な炎Ｆ，濃煙Ｓ，熱気Ｈ等により非常事態が発生した際、本体部２がこれらに晒されて、焼損，損傷することも防止されるようになる（図５〜図７も参照）。
例えば、一階４や二階５等の本体部２は、前述したように金属製よりなるが、訓練対象者Ｔの足元への熱気伝達防止のため、床壁面３０は木製の床材で覆われているが、その焼損が防止されるようになる。
【００４６】
（１０）そして、この安全システム２５は、一階４や二階５等の本体部２の側壁面２９や、燃焼発煙コーナー６の壁面に、閉鎖体２７付の開口部２６を設けたり、燃焼発煙コーナー６付近に遮断体２８を設けた構成よりなり、構成が簡単である（図１〜図４の（１）図を参照）。
又、この安全システム２５は、緊急時の操作も、開口部２６から閉鎖体２７を開放すること等により行われ、容易である。更に、閉鎖体２７に開放力助成手段３６を付設しておくことにより（図１の（３）図を参照）、人力による開放力が軽減され、一段と開放操作が容易化される。
なお、開口部２６の周壁３９と閉鎖体２７の周壁４０とを、嵌め合い構造としたことにより（図４の（２）図を参照）、本体部２が外部から容易に密閉されるので、安全システム２５を設けても、訓練は所期の通り支障なく実施可能である。
本発明の作用等については、以上のとおり。
【符号の説明】
【００４７】
１  実火災訓練装置
２  本体部
３  排煙処理装置
４  一階
５  二階
６  燃焼発煙コーナー
７  出入扉
８  外気取入口
９  通気口
９’通気口
１０  階段
１１  薪受台
１２  出入扉
１３  パーティション
１４  メンテナンスぺース
１５  階段
１６  柱
１７  梁
１８  導出手段
１９  前室
２０  煙突
２１  排煙導入手段
２２  バーナー
２３  煙燃焼エリア
２４  エアー供給手段
２５  安全システム
２６  開口部
２７  閉鎖体
２８  遮断体
２９  側壁面
３０  床壁面
３１  ヒンジ
３２  ローラー
３３  外ステージ
３４  天井壁面
３５  奥壁面
３６  開放力助成手段
３７  ワイヤ
３８  滑車
３９  周壁
４０  周壁
４１  パッキン
４２  横長穴
４３  縦長穴
４４  消火液タンク
Ａ  エアー
Ａ’エアー
Ｂ  可燃物
Ｃ  閉鎖位置
Ｄ  開放位置
Ｆ  炎
Ｈ  熱気
Ｊ  退避位置
Ｋ  遮断位置
Ｓ  濃煙
Ｔ  訓練対象者
Ｗ  ウエイト
ＡＺ  可視ゾーン
ＳＺ  濃煙ゾーン
【図１】
2013235121.tif 000003
【図２】
2013235121.tif 000004
【図３】
2013235121.tif 000005
【図４】
2013235121.tif 000006
【図５】
2013235121.tif 000007
【図６】
2013235121.tif 000008
【図７】
2013235121.tif 000009